(57)【要約】【課題】ユーザの操作対象の表示面がわかり易い携帯電話機１を提供する。【解決手段】携帯電話機１は、第１表示部１１が外部に露出する第１形態と、第２表示部２１の少なくとも一部および第１表示部が外部に露出する第２形態とで切り替え可能なように、第１表示部を有する第１キャビネット１０と第２表示部を有する第２キャビネット２０を連結させる機構部１８、２７、３９と、第１検出部１２により検出された第１表示部に対する入力に応じて第１処理を実行し、第２検出部２２により検出され第２表示部に対するた入力に応じて第２処理を実行する実行部１００と、第１処理の画面を第１表示部に表示し、第２処理の画面を第２表示部に表示する制御部１００とを備える。制御部は、アクティブ状態の画面を表示する表示部と、非アクティブ状態の画面を表示する表示部とを区別するための制御を、第１表示部および第２表示部の少なくとも一方に対して実行する。【選択図】図３
2015084548.tif 000002
【特許請求の範囲】
【請求項１】
第１の表示部と、
第２の表示部と、
前記第１の表示部に対するタッチ入力を検出する第１のタッチセンサと、
前記第２の表示部に対するタッチ入力を検出する第２のタッチセンサと、
前記第１のタッチセンサにより検出されたタッチ入力に応じてアプリケーションの起動を含む第１の処理を実行し、前記第２のタッチセンサにより検出されたタッチ入力に応じてアプリケーションの起動を含む第２の処理を実行する実行部と、
前記実行部により実行された前記第１の処理の画面を前記第１の表示部に表示し、前記第２の処理の画面を前記第２の表示部に表示する制御部とを備え、
前記実行部は、前記第１の表示部および前記第２の表示部に、異なるアプリケーションに基づく画面が表示された状態において、一方の表示部に表示された画面をアクティブ状態に設定し、他方の表示部に表示された画面を非アクティブ状態に設定するとともに、前記非アクティブ状態の画面が表示された表示部に対してタッチ入力がなされると、当該タッチ入力がなされた表示部の画面を前記アクティブ状態に設定し、
前記制御部は、前記第１の表示部および前記第２の表示部にアプリケーションに基づく画面とともに所定の情報を入力するためのキーを表示し、前記第１の表示部および前記第２の表示部のうち、前記アクティブ状態の画面を表示する表示部と、前記非アクティブ状態の画面を表示する表示部とを区別可能なように、前記第１の表示部に表示されるキーおよび前記第２の表示部に表示されるキーの表示態様を異ならせることを特徴とする携帯端末装置。
【請求項２】
第１の表示部と、第２の表示部と、前記第１の表示部に対するタッチ入力を検出する第１のタッチセンサと、前記第２の表示部に対するタッチ入力を検出する第２のタッチセンサとを備える携帯端末装置のコンピュータに、
前記第１のタッチセンサにより検出されたタッチ入力に応じてアプリケーションの起動を含む第１の処理を実行し、前記第２のタッチセンサにより検出されたタッチ入力に応じてアプリケーションの起動を含む第２の処理を実行し、
実行された前記第１の処理の画面を前記第１の表示部に表示し、前記第２の処理の画面を前記第２の表示部に表示し、
前記第１の表示部および前記第２の表示部に、異なるアプリケーションに基づく画面が表示された状態において、一方の表示部に表示された画面をアクティブ状態に設定し、他方の表示部に表示された画面を非アクティブ状態に設定するとともに、前記非アクティブ状態の画面が表示された表示部に対してタッチ入力がなされると、当該タッチ入力がなされた表示部の画面を前記アクティブ状態に設定し、
前記第１の表示部および前記第２の表示部にアプリケーションに基づく画面とともに所定の情報を入力するためのキーを表示し、前記第１の表示部および前記第２の表示部のうち、前記アクティブ状態の画面を表示する表示部と、前記非アクティブ状態の画面を表示する表示部とを区別可能なように、前記第１の表示部に表示されるキーおよび前記第２の表示部に表示されるキーの表示態様を異ならせる、プログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、２つの表示面を有する携帯端末装置が知られている。このような携帯端末装置には、アプリケーションプログラム（以下、「アプリケーション」と言う。）を実行し、アプリケーションに基づく画面を第１および第２表示面のそれぞれに表示する機能が設けられている。（たとえば、特許文献１参照）。
【先行技術文献】
【特許文献】
【０００３】
【特許文献１】特開平９−３０５２６２号公報
【発明の概要】
【発明が解決しようとする課題】
【０００４】
上記の構成では、第１表示面および第２表示面が同様の形状を有するため、ユーザが操作している表示面がいずれであるのかがわかり難い。
【０００５】
本発明は、かかる課題に鑑みてなされたものであり、ユーザの操作対象の表示面がわかり易い携帯端末装置を提供することを目的とする。
【課題を解決するための手段】
【０００６】
本発明の第１の態様に係る携帯端末装置は、第１の表示部と、第２の表示部と、前記第１の表示部に対するタッチ入力を検出する第１のタッチセンサと、前記第２の表示部に対するタッチ入力を検出する第２のタッチセンサと、前記第１のタッチセンサにより検出されたタッチ入力に応じてアプリケーションの起動を含む第１の処理を実行し、前記第２のタッチセンサにより検出されたタッチ入力に応じてアプリケーションの起動を含む第２の処理を実行する実行部と、前記実行部により実行された前記第１の処理の画面を前記第１の表示部に表示し、前記第２の処理の画面を前記第２の表示部に表示する制御部とを備える。ここで、前記実行部は、前記第１の表示部および前記第２の表示部に、異なるアプリケーションに基づく画面が表示された状態において、一方の表示部に表示された画面をアクティブ状態に設定し、他方の表示部に表示された画面を非アクティブ状態に設定するとともに、前記非アクティブ状態の画面が表示された表示部に対してタッチ入力がなされると、当該タッチ入力がなされた表示部の画面を前記アクティブ状態に設定する。前記制御部は、前記第１の表示部および前記第２の表示部のうち、前記アクティブ状態の画面を表示する表示部と、前記非アクティブ状態の画面を表示する表示部とを区別するための制御として、前記アクティブ状態の画面の縁の一辺にアクティブ状態を示す線状のバーの画像を表示する。前記制御部は、前記第１の表示部および前記第２の表示部にアプリケーションに基づく画面とともに所定の情報を入力するためのキーを表示し、前記バーの画像を、当該キーに隣接するように表示する。
【０００７】
本発明の第２の態様に係るプログラムは、第１の表示部と、第２の表示部と、前記第１の表示部に対するタッチ入力を検出する第１のタッチセンサと、前記第２の表示部に対するタッチ入力を検出する第２のタッチセンサとを備える携帯端末装置のコンピュータに、前記第１のタッチセンサにより検出されたタッチ入力に応じてアプリケーションの起動を含む第１の処理を実行し、前記第２のタッチセンサにより検出されたタッチ入力に応じて
アプリケーションの起動を含む第２の処理を実行し、実行された前記第１の処理の画面を前記第１の表示部に表示し、前記第２の処理の画面を前記第２の表示部に表示し、前記第１の表示部および前記第２の表示部に、異なるアプリケーションに基づく画面が表示された状態において、一方の表示部に表示された画面をアクティブ状態に設定し、他方の表示部に表示された画面を非アクティブ状態に設定するとともに、前記非アクティブ状態の画面が表示された表示部に対してタッチ入力がなされると、当該タッチ入力がなされた表示部の画面を前記アクティブ状態に設定し、前記第１の表示部および前記第２の表示部のうち、アクティブ状態の画面を表示する表示部を、非アクティブ状態の画面を表示する表示部から区別するための制御として、前記アクティブ状態の画面の縁の一辺にアクティブ状態を示す線状のバーの画像を表示する機能を付与する。前記第１の表示部および前記第２の表示部には、アプリケーションに基づく画面とともに所定の情報を入力するためのキーが表示され、前記バーの画像は、当該キーに隣接するように表示される。
【０００８】
本発明の第３の態様に係る携帯端末装置は、第１の表示部と、第２の表示部と、前記第１の表示部に対するタッチ入力を検出する第１のタッチセンサと、前記第２の表示部に対するタッチ入力を検出する第２のタッチセンサと、を備える。ここで、前記第１のタッチセンサにより検出されたタッチ入力および前記第２のタッチセンサにより検出されたタッチ入力に応じて、前記第１の表示部および前記第２の表示部に、異なるアプリケーションに基づく画面が表示された状態において、一方の表示部に表示された画面がアクティブ状態とされ、他方の表示部に表示された画面が非アクティブ状態とされるとともに、前記非アクティブ状態の画面が表示された表示部に対してタッチ入力がなされると、当該タッチ入力がなされた表示部の画面が前記アクティブ状態とされる。さらに、前記第１の表示部および前記第２の表示部のうち、前記アクティブ状態の画面を表示する表示部と、前記非アクティブ状態の画面を表示する表示部とを区別するため、前記アクティブ状態の画面の縁の一辺にアクティブ状態を示す線状のバーの画像が表示される。前記第１の表示部および前記第２の表示部には、アプリケーションに基づく画面とともに所定の情報を入力するためのキーが表示され、前記バーの画像は、当該キーに隣接するように表示される。
【発明の効果】
【０００９】
本発明によれば、ユーザの操作対象の表示面がわかり易い携帯端末装置を提供することができる。
【００１０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１１】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る操作項目画面およびアプリケーションの画面を各表示面に表示した図である。
【図５】実施の形態に係るアプリケーションの画面を各表示面に表示した図である。
【図６】実施の形態に係るユーザの操作に応じて画面の状態を示す処理手順を示すフローチャートである。
【図７】実施の形態に係るアプリケーションの画面を各表示面に表示した図である。
【図８】実施の形態に係るユーザの操作に応じて画面の状態を示す処理手順を示すフローチャートである。
【図９】実施の形態に係るアプリケーションの画面を各表示面に表示した図である。
【図１０】実施の形態に係るユーザの操作に応じて画面の状態を示す処理手順を示すフローチャートである。
【発明を実施するための形態】
【００１２】
以下、本発明の実施の形態について、図面を参照して説明する。
【００１３】
＜携帯電話機の構成＞  
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１４】
第１キャビネット１０は、横長の直方体形状を有する。第１キャビネット１０の正面には、第１タッチパネルおよび第１タッチキーが配されている。
【００１５】
第１タッチパネルは、第１ディスプレイ１１およびタッチセンサ（以下、「第１パネルセンサ」と言う。）１２を含む。
【００１６】
第１ディスプレイ１１は、ユーザの操作に応じた画像を第１表示面１１ａ１に表示する表示部に相当する。第１ディスプレイ１１は、第１液晶パネル１１ａおよびバックライト（以下、「第１パネルバックライト」と言う。）１１ｂで構成されている。第１液晶パネル１１ａの前面に第１表示面１１ａ１が備えられる。第１パネルバックライト１１ｂは、１つまたは複数の光源を含み、第１液晶パネル１１ａを照明する。第１表示面１１ａ１に第１パネルセンサ１２が重ねられている。
【００１７】
第１パネルセンサ１２は、第１表示面１１ａ１に対する入力を検出する検出部に相当する。透明な長方形状のシートであり、第１ディスプレイ１１の第１表示面１１ａ１を覆う。第１パネルセンサ１２は、マトリクス状に配された第１透明電極と第２透明電極とを備えている。第１パネルセンサ１２は、これら透明電極間の静電容量の変化を検出することによって、ユーザが触れた第１表示面１１ａ１上の位置を検出し、その入力位置に応じた位置信号を出力する。なお、ユーザが第１表示面１１ａ１を触れるとは、たとえば、ユーザがペンなどの接触部材や指を第１表示面１１ａ１をタッチすることである。第１表示面１１ａ１にタッチした接触部材や指は静止してもよいし、移動してもよい。また、接触部材や指が第１表示面１１ａ１にタッチしている時間は短くても、長くてもよい。
【００１８】
１つまたは複数、この実施例では３つの第１タッチキーＫ１１、Ｋ１２、Ｋ１３が、第１ディスプレイ１１に隣接して設けられる。各第１タッチキーＫ１１、Ｋ１２、Ｋ１３は、第１ディスプレイ１１に対して所定の情報を入力するためのキー部に相当する（図４参照）。各第１タッチキーＫ１１、Ｋ１２、Ｋ１３は、パネル（以下、「第１キーカバー」と言う。）１３ａ、バックライト（以下、「第１キーバックライト」と言う。）１３ｂ、およびタッチセンサ（以下、「第１キーセンサ」と言う。）１４を含む。第１キーカバー１３ａに所定の画像が表示される。
【００１９】
第１キーセンサ１４は、第１キーカバー１３ａに対する入力を検出する検出部に相当する。第１キーセンサ１４には静電容量の変化を検出するセンサなどが用いられる。このため、各第１タッチキーＫ１１、Ｋ１２、Ｋ１３の第１キーカバー１３ａに指や接触部材がタッチされると、第１キーセンサ１４は、静電容量の変化を検出し、検出信号を出力する。
【００２０】
第１キャビネット１０の内部には、中央やや後ろ位置にカメラモジュール１５が配されている。このカメラモジュール１５における被写体像を取り込むためのレンズ窓（図示せず）が、第１キャビネット１０の下面に設けられている。
【００２１】
また、第１キャビネット１０の内部には、前面近傍の中央位置に磁石１６が配されており、右前角部に磁石１７が配されている。
【００２２】
第１キャビネット１０の右側面および左側面には、突起部１８が設けられている。
【００２３】
第２キャビネット２０は、横長の直方体形状であって、第１キャビネット１０とほぼ同じ形状と大きさを有する。第２キャビネット２０には、第２タッチパネルおよび第２タッチキーが配されている。
【００２４】
第２タッチパネルは、第２ディスプレイ２１およびタッチセンサ（以下、「第２パネルセンサ」と言う。）２２を含む。
【００２５】
第２ディスプレイ２１は、ユーザの操作に応じた画像を第２表示面２１ａ１に表示する表示部に相当する。第２ディスプレイ２１は、第２液晶パネル２１ａおよびバックライト（以下、「第２パネルバックライト」と言う。）２１ｂで構成されている。第２液晶パネル２１ａの前面に第２表示面２１ａ１が備えられる。第２パネルバックライト２１ｂは、１つまたは複数の光源を含み、第２液晶パネル２１ａを照明する。なお、第１ディスプレイ１１および第２ディスプレイ２１は、有機ＥＬ等他の表示素子により構成されてもよい。
【００２６】
第２パネルセンサ２２は、第２表示面２１ａ１に対する入力を検出する検出部に相当する。第２パネルセンサ２２は、第１パネルセンサ１２と同様の形状および構成を有する。第２パネルセンサ２２は、第２ディスプレイ２１の第２表示面２１ａ１を覆い、ユーザが触れた第２表示面２１ａ１上の位置を検出し、その入力位置に応じた位置信号を出力する。
【００２７】
１つまたは複数、この実施例では３つの第２タッチキーＫ２１、Ｋ２２、Ｋ２３が、第２ディスプレイ２１に隣接して設けられる。第２タッチキーＫ２１、Ｋ２２、Ｋ２３は、第２ディスプレイ２１に対して所定の情報を入力するためのキー部に相当する。各第２タッチキーＫ２１、Ｋ２２、Ｋ２３は、パネル（以下、「第２キーカバー」と言う。）２３ａ、バックライト（以下、「第２キーバックライト」と言う。）２３ｂ、およびタッチセンサ（以下、「第２キーセンサ」と言う。）２４を含む。
【００２８】
第２キーセンサ２４は、第２キーカバー２３ａに対する入力を検出する検出部に相当する。なお、第２キーセンサ２４の構成および機能は第１キーセンサ１４とほぼ同様である。
【００２９】
第２キャビネット２０の内部には、後面近傍の中央位置に磁石２５が配されている。この磁石２５と第１キャビネット１０の磁石１６とは、後述する開状態で互いに引き合うよう配置されている。
【００３０】
第２キャビネット２０の内部において、右前角部には閉鎖センサ２６が配されている。閉鎖センサ２６は、たとえば、ホールＩＣなどで構成され、磁石１７の磁力を検出すると、センサ信号を出力する。後述する閉状態で、第１キャビネット１０の磁石１７が閉鎖センサ２６に接近するので、センサ信号が閉鎖センサ２６からＣＰＵ１００へ出力される。一方、開状態になると、第１キャビネット１０の磁石１７が閉鎖センサ２６から離れるので、閉鎖センサ２６からセンサ信号が出力されない。
【００３１】
第２キャビネット２０の両側面にはそれぞれ２つの軸部２７が設けられている。
【００３２】
保持体３０は、底板部３１と、底板部３１の右端部に形成された右保持部３２と、底板部３１の左端部に形成された左保持部３３とで構成されている。
【００３３】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０に対して上方に押し上げる力を付与する。
【００３４】
右保持部３２の上面にはマイク３５および電源キー３６が配されている。左保持部３３の上面には、スピーカ３８が配されている。また、右保持部３２の外側面には、複数のハードキー３７が配されている。
【００３５】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３６】
携帯電話機１を組み立てる際には、軸部２７が案内溝３９の下溝３９ｂに挿入され、第２キャビネット２０が保持体３０の収容領域Ｒ内に配置される。突起部１８が案内溝３９の上溝３９ａに挿入され、第１キャビネット１０が第２キャビネット２０の上に配置され、第１キャビネット１０が保持体３０の収容領域Ｒ内に収まる。
【００３７】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００３８】
図２（ａ）〜図２（ｄ）は、携帯電話機１を閉状態から開状態へ切り替えるための操作について説明するための図である。
【００３９】
図２（ａ）に示す閉状態では、第１キャビネット１０が第２キャビネット２０の上に重ねられて、携帯電話機１が畳まれる。閉状態は、第１キャビネット１０により第２表示面２１ａ１が覆われる第１形態に相当する。閉状態では、第１表示面１１ａ１のみが外部に露出する。
【００４０】
図２（ｂ）に示す矢印の方向に、第１キャビネット１０が後方に移動し、図２（ｃ）に示す矢印の方向に、第２キャビネット２０が前方へ引き出される。これにより、閉鎖センサ２６が磁石１７の磁力を検出せず、センサ信号を出力しなくなると、携帯電話機１は開状態に切り替えられる。この開状態では、第２表示面２１ａ１の一部が外部に現れる。
【００４１】
第２キャビネット２０が第１キャビネット１０に完全に重ならなくなると、図１に示す軸部２７が縦溝３９ｃにくる。これにより、軸部２７が縦溝３９ｃに沿って動き、第２キャビネット２０は上下に移動可能になる。このとき、コイルバネ３４の弾性力と、磁石１６および磁石２５の引力とにより、第２キャビネット２０は上昇する。
【００４２】
図２（ｄ）に示すように、第２キャビネット２０が第１キャビネット１０と密着して並び、第２表示面２１ａ１が第１表示面１１ａ１と同じ高さになる。これにより、第１キャ
ビネット１０および第２キャビネット２０が広げられて、第１表示面１１ａ１と第２表示面２１ａ１の双方が外部に露出する。
【００４３】
なお、開状態は、図２（ｂ）〜図２（ｄ）に示すように、第２表示面２１ａ１の少なくとも一部が外部に露出する第２形態に相当する。
【００４４】
また、突起部１８が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１８、軸部２７および案内溝３９が閉状態および開状態を切替可能なように、第１キャビネット１０および第２キャビネット２０を連結させる機構部に相当する。
【００４５】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９および電源部３１０を備えている。
【００４６】
カメラモジュール１５はＣＣＤ等の撮像素子を有する。カメラモジュール１５は、撮像素子から出力された撮像信号をデジタル化し、その撮像信号にガンマ補正等の各種補正を施して映像エンコーダ３０１へ出力する。映像エンコーダ３０１は、カメラモジュール１５からの撮像信号にエンコード処理を施してＣＰＵ１００へ出力する。
【００４７】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４８】
キー入力回路３０３は、電源キー３６やハードキー３７の各キーが押されたときに、各キーに応じた入力信号をＣＰＵ１００へ出力する。
【００４９】
通信モジュール３０４は、ＣＰＵ１００からのデータを無線信号に変換し、アンテナ３０４ａを介して基地局へ送信する。また、通信モジュール３０４は、アンテナ３０４ａを介して受信した無線信号をデータに変換してＣＰＵ１００へ出力する。
【００５０】
バックライト駆動回路３０５は、ＣＰＵ１００からの制御信号に応じた駆動信号を第１パネルバックライト１１ｂ、第１キーバックライト１３ｂ、第２パネルバックライト２１ｂおよび第２キーバックライト２３ｂに供給する。第１パネルバックライト１１ｂ、第１キーバックライト１３ｂ、第２パネルバックライト２１ｂおよび第２キーバックライト２３ｂは、それぞれバックライト駆動回路３０５による駆動信号により点灯し、第１液晶パネル１１ａ、第１キーカバー１３ａ、第２液晶パネル２１ａおよび第２キーカバー２３ａを照明する。
【００５１】
映像デコーダ３０６は、ＣＰＵ１００からの画像データを第１液晶パネル１１ａおよび第２液晶パネル２１ａで表示できる映像信号に変換し、これらを各液晶パネル１１ａ、２１ａに出力する。第１液晶パネル１１ａは、映像信号に応じた画像を第１表示面１１ａ１に表示する。第２液晶パネル２１ａは、映像信号に応じた画像を第２表示面２１ａ１に表示する。
【００５２】
音声デコーダ３０７は、ＣＰＵ１００からの音声信号と、着信音やアラーム音等の各種
報知音の音信号とにデコード処理を施し、さらにアナログ信号に変換してスピーカ３８に出力する。スピーカ３８は、音声デコーダ３０７からの音声信号や音信号を再生する。
【００５３】
バッテリー３０９は、ＣＰＵ１００やＣＰＵ１００以外の各部へ電力を供給するためのものであり、二次電池からなる。バッテリー３０９は電源部３１０に接続されている。
【００５４】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５５】
メモリ２００は、ＲＯＭおよびＲＡＭを含む。
【００５６】
メモリ２００には、ＣＰＵ１００に制御機能を付与するための制御プログラムが記憶されている。かかる制御プログラムには、アクティブ状態の画面を表示する表示部１１、２１を、非アクティブ状態の画面を表示する表示部１１、２１から区別するための制御を、表示部１１および表示部２１の少なくとも一方に対して実行する制御プログラムが含まれる。また、通話、メール、ウェブブラウザおよび画像表示などの各種アプリケーションが記憶されている。
【００５７】
メモリ２００には、音声データ、画像データおよびテキストデータなどのデータが所定のファイル形式で保存される。これらのデータとしては、カメラモジュール１５で撮影された写真のデータ、各パネルセンサ１２、２２により入力されたデータ、および通信モジュール３０４を介して外部から取り込んだデータなどが挙げられる。
【００５８】
メモリ２００には、各表示面１１ａ１、２１ａ１に表示されている画像に関する情報が記憶されている。各表示面１１ａ１、２１ａ１に表示されている画像には、アイコン、ボタンおよび写真などの絵と、テキスト領域に入力されたテキストとなどがある。画像に関する情報には、画像の情報と、各表示面１１ａ１、２１ａ１において画像が表示されている位置とが含まれる。アイコンやボタンなどの画像の情報には、画像が表わす処理の情報が含まれる。処理の情報には、アプリケーションやファイルなどの処理対象と、起動や終了などの処理内容とが含まれる。
【００５９】
メモリ２００には、第１および第２タッチキーに関する情報が記憶されている。第１および第２タッチキーに関する情報には、各タッチキーの入力を検出する各キーセンサ１４、２４と、各タッチキーに対応付けられた処理の情報とが含まれる。たとえば、第１タッチキーＫ１１には、操作項目画面を第１表示面１１ａ１に表示する処理の情報が対応付けられている。第２タッチキーＫ２１には、操作項目画面を第２表示面２１ａ１に表示する処理の情報が対応付けられている。第１タッチキーＫ１２および第２タッチキーＫ２２には、設定条件を変更するための画面や所定のアプリケーションの画面を各表示面１１ａ１、２１ａ１に表示する処理情報が対応付けられている。第１タッチキーＫ１３および第２タッチキーＫ２３には、直前に表示されていたアプリケーションの画面を各表示面１１ａ１、２１ａ１に表示する処理の情報が対応付けられている。
【００６０】
ＣＰＵ１００は、キー入力回路３０３、各パネルセンサ１２、２２および各キーセンサ１４、２４からの信号に基づき、制御プログラムに従って、カメラモジュール１５、マイク３５、通信モジュール３０４、各液晶パネル１１ａ、２１ａ、スピーカ３８等を動作させる。これにより、ＣＰＵ１００は、通話およびメール等の各種アプリケーションを実行する。
【００６１】
ＣＰＵ１００は、実行部として、ユーザによる入力に応じた処理を実行する。具体的に
は、各表示面１１ａ１、２１ａ１がユーザの指によりタッチされると、ＣＰＵ１００は各パネルセンサ１２、２２から入力位置に応じた位置信号を受け付ける。ＣＰＵ１００は、位置信号の入力位置に表示されている画像および画像が表わす処理の情報をメモリ２００の表示情報を基づいて特定する。ＣＰＵ１００は、特定した処理の情報に従って処理対象のアプリケーションやファイルをメモリ２００から読み出して、アプリケーションに処理内容を実行させる。
【００６２】
たとえば、図４（ａ）に示すように、ユーザがメールのアイコンＡをタッチすると、ＣＰＵ１００は、アイコンＡの処理対象であるアプリケーションＡをメモリ２００から読み出して起動する。
【００６３】
また、各キーカバー１３ａ、２３ａがユーザの指によりタッチされると、ＣＰＵ１００は各キーセンサ１４、２４から検出信号を受け付けるとともに、検出信号を出力したキーセンサ１４、２４を識別する。ＣＰＵ１００は、キーセンサ１４、２４が検出したタッチキーおよび各タッチキー１４、２４ーに対応付けられた処理の情報をメモリ２００の表示情報を基づいて特定し、処理の情報に従って処理を実行する。
【００６４】
たとえば、図４（ａ）に示す第１タッチキーＫ１１をユーザがタッチすると、ＣＰＵ１００は操作項目画面の画像データをメモリ２００から読み出す。
【００６５】
ＣＰＵ１００は、制御部として、映像デコーダ３０６およびバックライト駆動回路３０５へ制御信号を出力する。たとえば、ＣＰＵ１００は、バックライト駆動回路３０５を制御し、各パネルバックライト１１ｂ、２１ｂおよび各キーバックライト１３ｂ、２３ｂを消灯する。一方、ＣＰＵ１００は、各パネルバックライト１１ｂ、２１ｂを点灯すると共に、映像デコーダ３０６を制御し、各表示面１１ａ１、２１ａ１に画像を表示させる。また、ＣＰＵ１００が各キーバックライト１３ｂ、２３ｂを点灯する。なお、ＣＰＵ１００は、各表示面１１ａ１、２１ａ１に画像を表示する際のコントラスト、輝度、画面サイズ、および画面の透明度なども制御する。
【００６６】
たとえば、ＣＰＵ１００は、実行部により実行されたアプリケーションに基づく画面を各表示面１１ａ１、２１ａ１に表示する。つまり、第１液晶パネル１１ａを出力先としてアプリケーションＡが実行部により起動されると、図４（ｂ）に示すように、アプリケーションＡの画面が第１表示面１１ａ１に表示される。また、第１および第２液晶パネル１１ａ、２１ａを出力先として操作項目画面の画像データが実行部により読み出されると、図４（ａ）に示すように、操作項目画面が第１および第２表示面１１ａ１、２１ａ１に表示される。
【００６７】
また、各表示面１１ａ１、２１ａ１に異なるアプリケーションの画面が表示される際、アクティブ画面および非アクティブ画面を識別する表示形態がとられる。なお、異なるアプリケーションに基づく画面には、第１液晶パネル１１ａを出力先として実行中のアプリケーションと、第２液晶パネル２１ａを出力先として実行中のアプリケーションとが異なることにより、第１表示面１１ａ１の画面と第２表示面２１ａ１の画面とが異なる場合が含まれる。また、第１および第２液晶パネル１１ａ、２１ａを出力先として実行中のアプリケーションが同じであっても、１つのアプリケーションについて複数の処理が並行して実行され、一つの処理の画面が第１表示面１１ａ１に表示され、他の処理の画面が第２表示面２１ａ１に表示される場合も、異なるアプリケーションに基づく画面に含まれる。
【００６８】
たとえば、図４（ｂ）に示すように、ユーザにより第１表示面１１ａ１がタッチされると、第１パネルセンサ１２から位置信号がＣＰＵ１００へ出力され、第１表示面１１ａ１に表示される第１画面がアクティブ画面であると判断される。これにより、ＣＰＵ１００
は、第１表示面１１ａ１の第１画面において縁の一辺に線状のバーの画像を表示する。また、第１キーバックライト１３ｂを点灯して、第２キーバックライト２３ｂを消灯する。これにより、第１タッチキーに比べて、第２タッチキーが暗くなる。よって、第１表示面１１ａ１の画面がアクティブ状態であり、第２表示面２１ａ１の画面が非アクティブ状態であることが表示される。
【００６９】
一方、図５（ａ）に示すように、ユーザにより第２表示面２１ａ１がタッチされると、第２パネルセンサ２２からの位置信号に基づき第２表示面２１ａ１に表示される第２画面２１ａ１がアクティブ状態であると判断される。これにより、ＣＰＵ１００は、アクティブ状態を示す画像としてバーの画像を第２画面の縁に表示すると共に、第２キーバックライト２３ｂを点灯し、第１キーバックライト１３ｂを消灯する。第１表示面１１ａ１の画面が非アクティブ状態であり、第２表示面２１ａ１の画面がアクティブ状態であることが表わされる。
【００７０】
なお、第１および第２表示面１１ａ１、２１ａ１にそれぞれ異なるアプリケーションに基づく画面が表示されていない際には、アクティブ画面および非アクティブ画面を定める必要がないため、ＣＰＵ１００はアクティブ画面および非アクティブ画面を識別するための表示制御を実行しない。たとえば、図４（ａ）に示すように、第１および第２表示面１１ａ１、２１ａ１のどちらにもアプリケーションに基づく画面が表示されていない場合、所定の各第１タッチキーＫ１１、Ｋ１２、Ｋ１３が消灯し、各第２タッチキーＫ２１、Ｋ２２、Ｋ２３は点灯する。また、図５（ｂ）に示すように、第１および第２表示面１１ａ１、２１ａ１に１つのアプリケーションＡに基づく画面Ａ１、Ａ２が表示されている場合、所定の各第１タッチキーＫ１１、Ｋ１２、Ｋ１３が消灯し、各第２タッチキーＫ２１、Ｋ２２、Ｋ２３は点灯する。
【００７１】
なお、点灯しているタッチキーはアクティブ状態であり、消灯しているタッチキーは非アクティブ状態である。このため、非アクティブ状態のタッチキーがユーザにより入力されても、入力位置に応じた処理は実行されない。また、非アクティブ状態のタッチキーがタッチされると、タッチキーはアクティブ状態になり、点灯する。
【００７２】
＜第１の実施形態の処理手順＞  
図４（ａ）は、操作項目画面を第１および第２表示面１１ａ１、２１ａ１に表示した図である。図４（ｂ）は、アプリケーションＡの画面をアクティブ画面として第１表示面１１ａ１に表示し、アプリケーションＢの画面を第２表示面２１ａ１に表示した図である。図５（ａ）は、アプリケーションＡの画面を第１表示面１１ａ１に表示し、アプリケーションＢの画面をアクティブ画面として第２表示面２１ａ１に表示した図である。図５（ｂ）は、アプリケーションＡの第１画面Ａ１を第１表示面１１ａ１に表示し、アプリケーションＡの第２画面Ａ２を第２表示面２１ａ１に表示した図である。図６は、ユーザの操作に応じて画面の状態を示す処理手順を示すフローチャートである。
【００７３】
ユーザの操作に応じて画面の状態を示すように表示を制御する機能が設定されると、表示を制御する処理がＣＰＵ１００により実行される。この制御処理では、アクティブ画面および非アクティブ画面を識別する表示形態において、アクティブ状態の画面にアクティブ状態を示す画像が表示されるともに、アクティブ状態の画面を表示する表示面１１ａ１、２１ａ１に対応するタッチキーが点灯され、非アクティブ状態の画面を表示する表示面１１ａ１、２１ａ１に対応するタッチキーが消灯される。
【００７４】
第１表示面１１ａ１および第２表示面２１ａ１に、それぞれ所定の画面が表示されている状態において、各表示面１１ａ１、２１ａ１に対して操作されるか否かが監視される（Ｓ１０１）。
【００７５】
各表示面１１ａ１、２１ａ１がタッチされると（Ｓ１０１：ＹＥＳ）、アプリケーションが各液晶パネル１１ａ、２１ａを出力先として実行されているか否かが判断される（Ｓ１０２）。ここでは、図４（ａ）に示すように、操作項目画面が各表示面１１ａ１、２１ａ１に表示されている場合は、アプリケーションが実行されていない（Ｓ１０２：ＮＯ）。このため、ユーザはアクティブ状態および非アクティブ状態を識別する必要がないため、所定の各第２タッチキーＫ２１、Ｋ２２、Ｋ２３を点灯し、他方の各第１タッチキーＫ１１、Ｋ１２、Ｋ１３を消灯する（Ｓ１０３）。
【００７６】
また、図４（ａ）に示す操作項目画面においてユーザによりアイコンＡがタッチされると、アイコンＡが示すアプリケーションＡが第１液晶パネル１１ａを出力先として起動され、アプリケーションＡの画面が第１表示面１１ａ１に表示される。このとき、第２表示面２１ａ１には操作項目画面が表示されたままである。このような状態において、各表示面１１ａ１、２１ａ１がタッチされると（Ｓ１０１：ＹＥＳ）、第２液晶パネル２１ａを出力先としてアプリケーションが実行されていないことにより（Ｓ１０２：ＮＯ）、所定の各第２タッチキーＫ２１、Ｋ２２、Ｋ２３が点灯し、各第１タッチキーＫ１１、Ｋ１２、Ｋ１３が消灯した状態が維持される（Ｓ１０３）。
【００７７】
次に、第１表示面１１ａ１にアプリケーションＡの画面が表示され、第２表示面２１ａ１に表示された操作項目画面において、操作項目画面上のアイコンＢがタッチされると、アプリケーションＢが第２液晶パネル２１ａを出力先として起動され、アプリケーションＢの画面が第２表示面２１ａ１に表示される（図４（ｂ）参照）。このような状態において、各表示面１１ａ１、２１ａ１がタッチされると（Ｓ１０１：ＹＥＳ）、各液晶パネル１１ａ、２１ａを出力先としてアプリケーションＡおよびＢが起動されたと判断される（Ｓ１０２：ＹＥＳ）。
【００７８】
次に、各液晶パネル１１ａ、２１ａを出力先として実行されているアプリケーションまたはアプリケーションの処理が一致するか否かが判断される（Ｓ１０４）。ここでは、アプリケーションＡとアプリケーションＢとが一致しないため、アプリケーションが異なると判断される（Ｓ１０４：ＹＥＳ）。
【００７９】
図４（ｂ）に示すように、ユーザによりタッチされたのは第１表示面１１ａ１であれば、第１表示面１１ａ１に表示されるアプリケーションＡの画面がアクティブ状態に設定される。よって、アプリケーションＡの画面の縁にバー画像が付される。また、各第１タッチキーＫ１１、Ｋ１２、Ｋ１３が点灯し、各第２タッチキーＫ２１、Ｋ２２、Ｋ２３が消灯する（Ｓ１０５）。これにより、ユーザは、第１表示面１１ａ１がアクティブ状態、即ち、第１表示面１１ａ１がユーザによる操作の対象であることがわかる。
【００８０】
続いて、図５（ａ）に示すように、ユーザが第２表示面２１ａ１をタッチすると（Ｓ１０１：ＹＥＳ）、第２表示面２１ａ１がアクティブ状態になる。ここでは、各液晶パネル１１ａ、２１ａを出力先として異なるアプリケーションＡ、Ｂが既に起動されている（Ｓ１０２：ＹＥＳ、Ｓ１０４：ＹＥＳ）。このため、アクティブ状態であることを示すバー画像が第１表示面１１ａ１に代えて第２表示面２１ａ１に表示される。また、各第２タッチキーＫ２１、Ｋ２２、Ｋ２３が点灯され、各第１タッチキーＫ１１、Ｋ１２、Ｋ１３が消灯される（Ｓ１０５）。これにより、第２表示面２１ａ１がアクティブ状態、即ち、第２表示面２１ａ１がユーザによる操作の対象であることがユーザに報知される。
【００８１】
また、アプリケーションＢが終了され、アプリケーションＡの画面の出力先が第１および第２液晶パネル１１ａ、２１ａに設定されると、図５（ｂ）に示すように、アプリケーションＡの第１画面Ａ１が第１表示面１１ａ１に表示され、アプリケーションＡの第２画
面Ａ２が第２表示面２１ａ１に表示される。この表示形態では、各液晶パネル１１ａ、２１ａを出力先としてアプリケーションが起動されているが（Ｓ１０２：ＹＥＳ）、ユーザの操作対象はアプリケーションＡの１つだけである（Ｓ１０４：ＮＯ）。よって、アクティブ状態の識別が不要であるから、アクティブ状態であることを示すバー画像が消され、所定の各第２タッチキーＫ２１、Ｋ２２、Ｋ２３が点灯し、各第１タッチキーＫ１１、Ｋ１２、Ｋ１３が消灯する（Ｓ１０３）。
【００８２】
以上、本実施形態によれば、異なるアプリケーションまたは異なる処理に基づく画面が各表示面１１ａ１、２１ａ１に表示されているときに、ユーザにより操作された表示面にバーが表示される。これにより、ユーザの操作によってアクティブ状態になった画面がわかり易い。
【００８３】
また、本実施の形態によれば、表示面１１ａ１、２１ａ１に表示された画面がアクティブな状態にあると、その表示面１１ａ１、２１ａ１に対応するタッチキーが点灯される。よって、アクティブ状態の画面がユーザにより分かり易いとともに、そのタッチキーも使用できる状態にあることがユーザに分かり易い  さらに、本実施形態によれば、画面が第１および第２表示面１１ａ１、２１ａ１に表示されている場合でも、その画面が１つのアプリケーションに基づくものであれば、アクティブ画面か否かを識別する表示形態はとられない。これにより、ユーザは、操作対象が１つのアプリケーションであることが容易にわかる。
【００８４】
＜第２の実施形態＞  
第１の実施形態では、アクティブ状態の表示面においてアクティブ状態を示す画像を表示するとともに、タッチキーを点灯することにより、アクティブ状態の画面を非アクティブ状態の画面から区別するための制御が実行された。これに対し、第２実施形態では、アクティブ状態の画面の輝度に比べて、非アクティブ状態の画面の輝度を低くするとともに、タッチキーを点灯することにより、アクティブ状態の画面を非アクティブ状態の画面から区別するための制御が実行される。
【００８５】
図７（ａ）は、アプリケーションＡの画面をアクティブ画面として第１表示面１１ａ１に表示し、アプリケーションＢの画面を非アクティブ画面として第２表示面２１ａ１に表示した図である。図７（ｂ）は、アプリケーションＡの第１画面Ａ１を第１表示面１１ａ１に表示し、アプリケーションＡの第２画面Ａ２を第２表示面２１ａ１に表示した図である。図８は、ユーザの操作に応じて画面の状態を示す処理手順を示すフローチャートである。なお、図８におけるＳ２０１、Ｓ２０２およびＳ２０４の処理は、それぞれ図６におけるＳ１０１、Ｓ１０２およびＳ１０４の処理と同様であるため、説明は省略する。
【００８６】
図７（ａ）に示すように、ユーザにより第１表示面１１ａ１がタッチされたとき（Ｓ２０１：ＹＥＳ）、各液晶パネル１１ａ、２１ａを出力先として異なるアプリケーションＡ、Ｂが起動されている場合（Ｓ２０２：ＹＥＳ、Ｓ２０４：ＹＥＳ）、非アクティブ状態のアプリケーションＢの画面の輝度がアクティブ状態のアプリケーションＡの画面の輝度より下げられる。また、各第１タッチキーＫ１１、Ｋ１２、Ｋ１３が点灯し、各第２タッチキーＫ２１、Ｋ２２、Ｋ２３が消灯する（Ｓ２０５）。これにより、第１表示面１１ａ１がアクティブ状態であることがユーザに報知される。
【００８７】
また、第１表示面１１ａ１または第２表示面２１ａ１がユーザによりタッチされた際（Ｓ２０１：ＹＥＳ）、図７（ｂ）に示すように、アプリケーションＡの第１画面Ａ１および第２画面Ａ２が第１および第２表示面１１ａ１、２１ａ１に表示されている場合（Ｓ２０２：ＹＥＳ、Ｓ２０４：ＮＯ）、第１表示面１１ａ１の画面および第２表示面２１ａ１の画面が同じ輝度で表示される。また、所定の各第２タッチキーＫ２１、Ｋ２２、Ｋ２３
が点灯され、他方の各第１タッチキーＫ１１、Ｋ１２、Ｋ１３が消灯される（Ｓ２０３）。
【００８８】
なお、第１表示面１１ａ１および第２表示面２１ａ１の少なくとも一方に操作項目画面が表示されている場合にも（Ｓ２０２：ＮＯ）、第１表示面１１ａ１の画面および第２表示面２１ａ１の画面が同じ輝度で表示され、所定のタッチキーが点灯される（Ｓ２０３）。
【００８９】
以上、本実施形態によれば、異なるアプリケーションまたは異なる処理に基づく画面が各表示面１１ａ１、２１ａ１に表示されているときに、ユーザにより操作された表示面の輝度より低い輝度で他の表示面に画面が表示される。このような輝度の差により表示面がアクティブ状態であるか否かがわかり易い。
【００９０】
＜第３の実施形態＞
第２の実施形態では、輝度の差によりアクティブ状態の画面を非アクティブ状態の画面から区別するための制御が実行された。これに対し、第３実施形態では、アクティブ状態の画面のサイズに比べて、非アクティブ状態の画面のサイズを小さくするとともに、タッチキーを点灯することにより、アクティブ状態の画面を非アクティブ状態の画面から区別するための制御が実行される。
【００９１】
図９は、アプリケーションＡの画面をアクティブ画面として第１表示面１１ａ１に表示し、アプリケーションＢの画面を非アクティブ画面として第２表示面２１ａ１に表示した図である。図１０は、ユーザの操作に応じて画面の状態を示す処理手順を示すフローチャートである。なお、図１０におけるＳ３０１、Ｓ３０２およびＳ３０４の処理は、それぞれ図６におけるＳ１０１、Ｓ１０２およびＳ１０４の処理と同様であるため、説明は省略する。
【００９２】
図９に示すように、ユーザにより第１表示面１１ａ１がタッチされた際（Ｓ３０１：ＹＥＳ）、各表示面１１ａ１、２１ａ１に異なるアプリケーションＡ、Ｂの画面が表示されている（Ｓ３０２：ＹＥＳ、Ｓ３０４：ＹＥＳ）場合、第２表示面２１ａ１における非アクティブ状態のアプリケーションＢの画面のサイズが第１表示面１１ａ１におけるアクティブ状態のアプリケーションＡの画面のサイズより小さくされる。また、第１表示面１１ａ１に対応する各第１タッチキーＫ１１、Ｋ１２、Ｋ１３が点灯し、第２表示面２１ａ１に対応する各第２タッチキーＫ２１、Ｋ２２、Ｋ２３が消灯する（Ｓ３０５）。この画面サイズの差により、第１表示面１１ａ１の画面がアクティブ状態であることがユーザに報知される。
【００９３】
また、第１または第２表示面１１ａ１、２１ａ１がユーザによりタッチされた際（Ｓ３０１：ＹＥＳ）、図７（ｂ）に示すように、アプリケーションＡの第１画面Ａ１および第２画面Ａ２が第１および第２表示面１１ａ１、２１ａ１に表示されている（Ｓ３０２：ＹＥＳ、Ｓ３０４：ＮＯ）場合、第１表示面１１ａ１の画面および第２表示面２１ａ１の画面が同じサイズで表示される。また、所定の各第２タッチキーＫ２１、Ｋ２２、Ｋ２３が点灯され、他方の各第１タッチキーＫ１１、Ｋ１２、Ｋ１３が消灯される（Ｓ３０３）。
【００９４】
なお、第１表示面１１ａ１および第２表示面２１ａ１の少なくとも一方に操作項目画面が表示されている（Ｓ３０２：ＮＯ）場合にも、第１表示面１１ａ１の画面および第２表示面２１ａ１の画面が同じサイズで表示され、所定のタッチキーが点灯される（Ｓ３０３）。
【００９５】
以上、本実施形態によれば、異なるアプリケーションまたは異なる処理に基づく画面が
各表示面１１ａ１、２１ａ１に表示されているときに、非アクティブ状態の画面のサイズがアクティブ状態の画面にサイズより小さく設定される。このように、アクティブ状態の画面に比べて、非アクティブ状態の画面が見にくく表示されることにより、ユーザは画面の状態を簡単に見分けることができる。
【００９６】
＜その他の実施形態＞  
以上、本発明の実施の形態について説明したが、本発明は、上記実施の形態によって何ら制限されるものではなく、また、本発明の実施の形態も、上記以外に種々の変更が可能である。
【００９７】
たとえば、上記実施形態では、第１および第２タッチキーが、それぞれ第１および第２ディスプレイ１１、２１に隣接して設けられたが、第１および第２タッチキーの配置はこれに限定されない。
【００９８】
また、上記実施形態では、各キャビネット１０、２０に各タッチパネルおよび各タッチキーが配されたが、各キャビネットに各タッチキーが設けられなくてもよい。この場合、各タッチパネルの表示面１１ａ１、２１ａ１に表示された画面の状態により画面がアクティブな状態であるか、非アクティブな状態であるかが識別される。
【００９９】
さらに、各キャビネット１０、２０に各タッチキーが設けられない場合、各表示面１１ａ１、２１ａ１の一部にキー領域を設けることもできる。この場合、アクティブ画面を表示する表示面のキー領域の色調に比べて、非アクティブ画面を表示する表示面のキー領域の色調が暗く表示される。これにより、各表示面の状態がわかり易くなるとともに、キー領域への入力が可能か否かも分かり易くなる。
【０１００】
また、第１実施形態では、ユーザが操作された表示面においてアクティブ状態を示すバー画像が画面に表示されると共にタッチキーが点灯され、非アクティブ状態の表示面においてタッチキーが消灯された。これに対して、ユーザが操作された表示面においてアクティブ状態を示すバー画像が画面に表示されずに、タッチキーが点灯され、非アクティブ状態の表示面においてタッチキーが消灯されてもよい。このように、タッチキーの点滅状態により画面の状態がわかり易い。また、ユーザが操作された表示面においてアクティブ状態を示すバー画像が画面に表示されるとともに、タッチキーが点灯され、非アクティブ状態の表示面においてもタッチキーが点灯されたままであってよい。このようにしても、アクティブ状態を示すバー画像により画面の状態が容易に理解され得る。
【０１０１】
さらに、第１実施形態では、アクティブ状態を示す画像としてバー画像が画面の縁の一部に表示されたが、アクティブ状態を示す画像はこれに限らない。たとえば、アクティブ状態の画面の縁を囲む枠の画像が表示されてもよい。
【０１０２】
また、上記実施形態では、各表示面１１ａ１、２１ａ１に表示される画像、画面の輝度、画面のサイズ、および各表示面１１ａ１、２１ａ１に対応するタッチキーの明るさにより、アクティブ状態の画面を表示する表示部と、非アクティブ状態の画面を表示する表示部とを区別するための制御が実行された。このような表示制御と共に、または表示制御に代えて、音や光などによりアクティブ状態の画面を表示する表示部と、非アクティブ状態の画面を表示する表示部とを区別するための制御が実行されてもよい。たとえば、各キャビネットに画面の状態を表わすランプ部が設けられる。アクティブ画面が表示されるキャビネット１０、２０のランプ部が点灯されることにより、ランプ部からの光で各画面の状態が報知される。
【０１０３】
さらに、上記実施形態では、携帯電話機１を用いたが、ＰＤＡや携帯ゲーム機などの携
帯端末装置を用いることもできる。
【０１０４】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１０５】
１  携帯電話機
１０  第１キャビネット
１１  第１ディスプレイ
１２  第１パネルセンサ
１３  第１キーディスプレイ
１４  第１キーセンサ
２０  第２キャビネット
２１  第２ディスプレイ
２２  第２パネルセンサ
２３  第２キーディスプレイ
２４  第２キーセンサ
１８  突起部
２７  軸部
３９  案内溝
１００  ＣＰＵ
【図１】
2015084548.tif 000003
【図２】
2015084548.tif 000004
【図３】
2015084548.tif 000005
【図４】
2015084548.tif 000006
【図５】
2015084548.tif 000007
【図６】
2015084548.tif 000008
【図７】
2015084548.tif 000009
【図８】
2015084548.tif 000010
【図９】
2015084548.tif 000011
【図１０】
2015084548.tif 000012